(57)【要約】【課題】照射効率の良い液晶パネルモジュールを提供する。【解決手段】バックライトユニットと該ユニット上に設けた液晶パネルユニットとで構成される液晶パネルモジュールであって、バックライトユニットは、反射シートと、その上に互いに平行に配設された断面二等辺三角形の複数のプリズムと、反射シート及び複数のプリズムが底面に設けられた導光板と、導光板の側方から光を照射する照射手段と、で構成され、プリズムは導光板よりも大きな屈折率を有し、二等辺三角形の底辺に平行な面が反射シートに対向しており、照射手段からの光はプリズムの一方のプリズム面にブリュースター角で入射し、プリズムに入射して他方のプリズム面から射出する光は照射手段からみて後段位置のプリズムの一方のプリズム面に入射されるように設置され、液晶パネルユニットは、一方のプリズム面で反射されるｓ偏光を透過する偏光板を下面に備えている。【選択図】図３
2006259756.tif 000002
【特許請求の範囲】
【請求項１】
バックライトユニットと、バックライトユニット上に設けた液晶パネルユニットと、で構成される液晶パネルモジュールであって、
バックライトユニットは、反射シートと、前記反射シート上に互いに平行に配設された断面が二等辺三角形の複数のプリズムと、前記反射シート及び複数の前記プリズムが底面に設けられた導光板と、前記導光板の側方から光を照射する照射手段と、で構成されており、前記プリズムは前記導光板よりも大きな屈折率を有し、前記二等辺三角形の底辺に平行な面が前記反射シートに対向しており、照射手段からの光は前記プリズムの一方のプリズム面にブリュースター角で入射し、前記プリズムに入射して他方のプリズム面から射出する光は照射手段からみて後段に位置するプリズムの一方のプリズム面に入射されるように設置され、
液晶パネルユニットは、前記一方のプリズム面で反射されるｓ偏光を透過する偏光方向を有する偏光板を下面に備えたことを特徴とする液晶パネルモジュール。
【請求項２】
プリズムは、プリズム角が１２０度の等辺プリズムであることを特徴とする請求項１に記載の液晶パネルモジュール。
【発明の詳細な説明】
【技術分野】
【０００１】
本発明は、ノート型のパーソナルコンピュータ等に採用される液晶パネルディスプレイ装置に関する。
【背景技術】
【０００２】
従来、ノート型のパーソナルコンピュータ（以下、ノートパソコンと略す）やラップトップ型のワードプロセッサの蓋として液晶ディスプレイ装置が採用されていることは、一般に良く知られている。液晶パネルディスプレイ装置の内部には液晶パネルモジュールが納められており、該液晶パネルモジュールは、光透過型の液晶パネルユニットと、前記液晶パネルユニットを裏面から照明するバックライトユニットとで構成されている。このバックライトユニットは、主に液晶パネルに照明光を導光する導光板、及び、該導光板の一辺側に配置されたランプで構成される。例えば、特許文献１には、導光板上に散乱素子を設けたバックライトユニットが開示されている。
【０００３】
【特許文献１】特開平０５−０８０３４９号公報
【０００４】
上記構成の液晶パネルディスプレイ装置において、液晶ディスプレイの明るさは、バックライトユニットによる照明光の光量を調節して行われる。液晶ディスプレイの画面を明るくするには、バックライトユニットで使用するランプに供給する電力を増加すればよい。
【発明の開示】
【発明が解決しようとする課題】
【０００５】
近年、カラー液晶ディスプレイ装置に使用されているＴＦＴカラー液晶パネルの光の透過率は、６％〜１０％程度と低い。この光の透過率は、ＴＦＴアレイ基板の開口率（５０％〜８０％）、カラーフィルタ透過率（３０％）、及び液晶パネル下面に設けられる偏光板の透過率のかけ算でおおよそ決まる。従来の装置における偏光板の透過率は、４０％程度の低い値であった。このため、ＴＦＴカラー液晶パネルの全面を明るく照らすには比較的大きなランプ光輝度が必要であり、大きなランプ消費電力が必要であった。
【０００６】
例えば、ノートパソコンに用いる１２．１”サイズのＴＦＴカラー液晶パネルに必要なバックライトの消費電力は約２Ｗ程度である。これは、パソコンの電力消費量の１／３程度の大きな割合を占める。
【０００７】
ノートパソコンを電池駆動で使用する場合を考えると、上記バックライトユニットにおける電力の消費量は、少ない方が好ましい。このバックライトユニットにおける電力の消費量を低減するには、液晶パネルの光の透過率を高め、所定レベルの明るさの画面を得るのに必要なランプの電力を低減することが必要となる。
【０００８】
以下、従来の液晶パネルディスプレイ装置に採用されている液晶パネルモジュールについて説明する。
【０００９】
図１２は、従来の液晶パネルディスプレイ装置に採用されている液晶パネルモジュール１００の断面図である。液晶パネルモジュール１００は、ランプ１０１、リフレクタ１０２及び導光板１０６からなるバックライトユニットと、液晶パネル１０４の表裏に所定の偏光板１０３，１０５を貼り付けてなる液晶パネルユニットとで構成される。導光板１０６の底面には、反射シート１０７が貼り付けられており、ランプ１０１の光が乱反射するように、鋸状に加工された複数の乱反射部１０８ａ〜１０８ｄが設けられている。
【００１０】
液晶パネル１０４の裏面に貼り付けられる偏光板１０５は、所定の偏光方向の光のみを透過し、その他の偏光方向の光を吸収する。また、液晶パネル１０４の表面に貼り付けられる偏光板１０３は、偏光板１０５の偏光軸と平行又は垂直な偏光方向の光のみを透過し、その他の偏光方向の光を吸収する。
【００１１】
上記構成の液晶パネルモジュール１００の導光板１０６内には、当該導光板１０６の底面に対して水平な振動波（ｐ偏光）及び垂直な振動波（ｓ偏光）の両成分を含む円偏光のランプ光が入射される。このため、偏光板１０５において約半分以上のランプ光が吸収されてしまい、導光板１０６内における光の吸収も合わせると、光の透過率は上記したように４０％程度と低い値になる。
【００１２】
本発明は、低価格で効率よくＴＦＴ液晶パネルを照射することのできる構造のバックライトユニットを備える液晶パネルモジュールを提供することを目的とする。
【課題を解決するための手段】
【００１３】
本発明の請求項１に記載の液晶パネルモジュールは、バックライトユニットと、バックライトユニット上に設けた液晶パネルユニットと、で構成される液晶パネルモジュールであって、バックライトユニットは、反射シートと、前記反射シート上に互いに平行に配設された断面が二等辺三角形の複数のプリズムと、前記反射シート及び複数の前記プリズムが底面に設けられた導光板と、前記導光板の側方から光を照射する照射手段と、で構成されており、前記プリズムは前記導光板よりも大きな屈折率を有し、前記二等辺三角形の底辺に平行な面が前記反射シートに対向しており、照射手段からの光は前記プリズムの一方のプリズム面にブリュースター角で入射し、前記プリズムに入射して他方のプリズム面から射出する光は照射手段からみて後段に位置するプリズムの一方のプリズム面に入射されるように設置され、液晶パネルユニットは、前記一方のプリズム面で反射されるｓ偏光を透過する偏光方向を有する偏光板を下面に備えたことを特徴とする。
【００１４】
本発明の請求項２に記載の液晶パネルモジュールは、請求項１に記載の液晶パネルモジュールであって、プリズムは、プリズム角が１２０度の等辺プリズムであることを特徴とする。
【発明の効果】
【００１５】
本発明の請求項１に記載の液晶パネルモジュールは、バックライトユニット内に、照射手段からの光がブリュースター角で入射するプリズム角を有する等辺プリズムを採用する。これにより、液晶パネルユニットに対してｓ偏光を多く含む光を直接入射することができ、液晶パネルユニットの底面に備える偏光板が透過できない光の量を低減し、液晶パネルユニットを効率よく照射することが可能になる。例えば、該プリズムの換わりに乱反射部（従来技術の図１２を参照）を備える場合、乱反射した光の内、上に向いているｓ偏光のみが偏光板を透過することになるが、プリズムを用いて照射光に含まれているｓ偏光を積極的に上に向けた方が、照射効率がよい。
【００１６】
本発明の請求項２に記載の液晶パネルモジュールは、プリズム角が１２０度の等辺プリズムを用いることによって、ｓ偏光を効率よく上に向け、偏光板を透過させることができる。
【発明を実施するための最良の形態】
【００１７】
（１）実施の形態１
本発明の実施の形態１にかかる液晶ディスプレイ装置では、その導光板内に、ランプからの照明光の内、導光板の底面に対して電界の振動方向が垂直な振動波、即ち、ｓ偏光を多く含んだ光を直接液晶パネル側へと反射する反射部材（等辺プリズム）を複数個、備えることを特徴とする。
以下、本発明の実施の形態１にかかる液晶ディスプレイ装置について、添付の図面を用いて説明する。
【００１８】
図１は、実施の形態１にかかる液晶ディスプレイ装置４を採用したノート型のパーソナルコンピュータ（以下、ノートパソコンと略す）１の斜視図である。ノートパソコン１は、上面にキーボード３を有し、内部にＣＰＵ、ハードディスク等を備える本体２と、液晶パネルモジュール５を組み込んでなる液晶ディスプレイ装置４とで構成される。液晶ディスプレイ装置４は、本体２に対して開閉可能な状態で接続されている。
【００１９】
図２は、図１に示した液晶ディスプレイ装置４の構造を示す分解斜視図である。液晶ディスプレイ装置４は、金属製の筺体６の内面側に、液晶パネルモジュール５を配置し、その上側にマスクフレーム７を取り付けた上で、複数のビス８をマスクフレーム７側の外面側からねじ込んで締結することにより一体的に構成されている。
【００２０】
液晶パネルモジュール５は、バックライトユニット１０及び液晶パネルユニット２０を積み重ねて形成される。
【００２１】
なお、上記筺体６は、例えばマグネシウム（Ｍｇ）あるいはＭｇ系の軽合金を材料に用いてダイキャスト法による鋳造品として形成される。
【００２２】
バックライトユニット１０は、液晶パネルユニット２０側に照明光を導光する導光板１１と、該導光板１１の一辺側に配置された蛍光灯ランプ１３とを備え、上記導光板１１の裏面側には、例えば銀（Ａｇ）をコーティングした樹脂膜でなる反射シート１２が貼り付けられている。当該導光板１１内の構成については後に詳しく説明する。上記ランプ１３は、高周波電源として機能する圧電トランスインバータ１５に接続されている。上記ランプ１３は、多角形の断面を有し、導光板１１側のみが開放されたリフレクタ１４でその外側が囲まれている。該リフレクタ１４は、その内面が例えば銀メッキされた薄肉の真鍮板で構成されている。
【００２３】
導光板１１の面上の四隅にはＬ字型のリブ９ａ，９ｂ，９ｃ，９ｄ（但し、リブ９ｄは本図に示さず）が設けられている。液晶パネルユニット２０を構成する偏光板１６、ＴＦＴ液晶パネル２１及び偏光板１７は、上記Ｌ字型のリブ９ａ，９ｂ，９ｃ，９ｄにより導光板１１上に順に隙間無く積み重ねられ、隙間のない状態で所定の位置に保持される。
【００２４】
液晶パネルユニット２０は、偏光板１６及び１７により挟持された透過型液晶パネルとしてのＴＦＴ液晶パネル２１、ソース基板２２及びゲート基板２３を備える。偏光板１６は、所定の偏光方向の光を透過すると共に、その他の偏光方向の光を吸収する。偏光板１７は、偏光板１６の偏光軸と平行又は垂直な偏光方向の光を透過すると共に、その他の偏光方向の光を吸収する。ソース基板２２は、液晶パネルユニット２０が導光板１１上に固定された後、矢印ａで示すように、導光板１１の裏側（下面）に回り込むように折り曲げられ、この状態で筺体６に固定される。筺体６は、導光板１１に当たる面が平面になるように、折り曲げられたソース基板２２が収まる凹部を備える。
【００２５】
図３は、液晶パネルモジュール５の構成断面図である。既に説明したように、液晶パネルモジュール５は、ランプ１３、リフレクタ１４及び導光板１１を備えるバックライトユニット１０の上に、偏光板１６及び１７によって挟持されるＴＦＴ液晶パネル２１よりなる液晶パネルユニット２０を設けてなる。液晶パネル２１の底面に設けられる偏光板１６は、当該パネル２１を上から見て、ランプ軸方向に対して垂直方向の偏光軸を有する。
【００２６】
導光板１１の底面には、偏光回転フィルム６０及び反射シート１２が貼り付けられている。偏光回転フィルム６０は、入射した光の偏光方向を９０度回転する。後に詳しく説明するが、導光板１１の底部には、ランプ１３からの主要な光がブルリュースター角で入射するプリズム角を有する等辺プリズムである複数の反射部材５０ａ〜５０ｌ（但し、本図には５０ｇ〜５０ｌは図示されていない。詳しくは図４を参照）が設けられている。これらの反射部材５０ａ〜５０ｌは、導光板１１の材料よりも高い屈折率を有する材料を採用する。
【００２７】
例えば、導光板１１が屈折率ｎ１＝１．４９のアクリルで形成されている場合には、反射部材５０として屈折率ｎ２＝２．２５の酸化タンタル（Ｔａ2Ｏ5）を採用する。この場合、屈折率の比ｎ２／ｎ１は、１．５１となる。以下に説明するように、上記屈折率の比ｎ２／ｎ１は大きい方が好ましい。
【００２８】
図４は、導光板１１内に設ける反射部材５０ａ〜５０ｆの状態を示す斜視図である。先に述べたように、図２及び図３に示した偏光板１６は、ランプ軸に対して垂直な偏光軸を有する。これに対して反射部材５０ａ〜５０ｆは、上記偏光板１６の偏光軸に垂直、即ち、ランプ軸に対して平行な状態に並べて設けられる。反射部材５０ａ〜５０ｆは、均質な屈折率ｎの透明体で、高さ０．２５ｍｍで頂角が１２０度、２つの底角が３０度の二等辺三角形の断面を有するプリズムであり、それぞれ０．５ｍｍ間隔で設けられている。なお、一般に、利用する２つの面（プリズム面）のなす角、即ち上記頂角をプリズム角といい、二等辺三角形の断面を有するプリズムを等辺プリズムという。
【００２９】
図５のグラフは、反射部材５０ａ〜５０ｆの反射面に対する光の入射角と反射率との関係を示す。３つのグラフは、それぞれ入射面に対して電界の振動方向が垂直な振動波（ｓ偏光）の反射率Ｒs、入射面に対して電界の振動方向が水平な振動波（ｐ偏光）の反射率Ｒp、及び、自然光反射率Ｒn＝（Ｒp＋Ｒs）／２を示す。
【００３０】
例えば、反射部材５０ａ〜５０ｆの反射面に対する光の入射角が５５度の場合、当該反射面に対して垂直方向に偏光した光の反射率Ｒsは０．２であり、水平方向に偏光した光の反射率Ｒpは０である。従って、この場合の反射光は、反射面に対して垂直方向に偏光した直線偏光となる。このようにｐ偏光とｓ偏光との反射率の比が最大になる入射角（上記例では５５度）を、一般にブルリュースター（Brewster）角という。
【００３１】
偏光板１６での光の透過率を向上させるには、反射部材５０ａ〜５０ｆにより反射される光に偏光板１６の偏光方向と一致した偏光成分が多く含まれることが好ましい。ブルリュースター角におけるｐ偏光とｓ偏光との反射率の比は、導光板１１内部の屈折率ｎ１と反射部材５０ａ〜５０ｆの屈折率ｎ２との比ｎ２／ｎ１が大きいほど大きな値を取る。
【００３２】
従って、反射部材５０ａ〜５０ｆには、導光板の屈折率ｎ１に対してできるだけ大きな屈折率ｎ２を有する材料を使用するのが好ましい。本実施の形態においては、反射部材５０ａ〜５０ｆの材質として、Ｔａ2Ｏ5を用いたが、以下に示す表１に示すように導光板１１に比べて屈折率が大きく、かつ透過率の高い高誘電率材料であれば、反射部材５０ａ〜５０ｆとして用いることができる。
【００３３】
【表１】
2006259756.tif 000003
【００３４】
導光板１１を進んでくる光の入射角は、導光板１１に平行な方向に対して０度から４５度程度の角度に分布しており、平均的には約２０度である。本液晶パネルモジュール５では、反射部材５０ａ〜５０ｆとしてプリズム角は１２０度の等辺プリズムを用いる。この等辺プリズムの底角は３０度であるので、光の入射角は３０度から７５度程度の角度となる。図５に示すグラフに基づけば、入射角３０度から７５度の範囲では、反射光の大部分は垂直方向に偏光したｓ偏光からなる直線偏光となる。
【００３５】
本液晶パネルモジュール５においては、反射部材５０ａ〜５０ｆとしてプリズム角１２０度の等辺プリズムを採用することで、偏光板１６での光の吸収を低減、即ち、偏光板での光の透過率を向上することができる。
【００３６】
ここで、再び図３を参照しつつ、ランプ１３より射出された光（矢印ａ）が反射部材５０ａに入射した場合について詳細に説明する。ランプ１３より射出された光は自然光であり、その量を１とすると反射部材５０ａへの入射面に対して電界の振動方向が平行な振動波（ｐ偏光）が０．５、上記入射面に対して電界の振動方向が垂直な振動波（ｓ偏光）が０．５で構成される。反射部材５０ａへの入射角が５５度の場合、反射光（矢印ｂ）は、０のｐ偏光、及び、０．１のｓ偏光で構成される。偏光板１６は、反射部材５０ａの反射面と垂直方向の直線偏光のみを透過し、その他の偏光方向の光を吸収するが、この場合、全ての反射光が透過することになる。
【００３７】
ところで、反射部材５０ａにおける光の吸収が無いと仮定した場合、屈折光（矢印ｃ）は、０．５のｐ偏光、及び、０．４のｓ偏光で構成される。当該屈折光は、偏光回転フィルム６０を通過した後に反射シート１２において反射され、再び偏光回転フィルム６０を通過する。反射シート１２からの反射光（矢印ｄ）は、偏光回転フィルム６０により偏光が９０度回転され、０．４のｐ偏光、及び、０．５のｓ偏光で構成される。この偏光回転フィルム６０により、反射部材５０ａからの射出光（矢印ｅ）を、常にｓ偏光を多く含む楕円偏光とすることができる。
【００３８】
反射部材５０ｂには、ランプ１３からの自然光（０．５のｐ偏光、０．５のｓ偏光で構成される）が直接入射される他、反射部材５０ａからの光（矢印ｅ）が入射される。ランプ１３からの光が直接入射される場合については、上記反射部材５０ａについて説明した場合と同様である。そこで、反射部材５０ａからの光（矢印ｅ）が入射した場合について説明する。この場合の入射角は６５度であり、図５のグラフに基づけば、この場合の反射率は、Ｒpが０．０５であり、Ｒsが０．３である。従って、反射部材５０ｂにおける反射光（矢印ｆ）は、０．０２５のｐ偏光と、０．１５のｓ偏光で構成される。反射部材５０ｂにおける光の吸収が無いと仮定した場合、屈折光（矢印ｇ）は、０．４７５のｐ偏光と、０．３５のｓ偏光で構成される。当該屈折光は、偏光回転フィルム６０を通過した後に反射シート１２において反射され、再び偏光回転フィルム６０を通過する。反射シート１２からの反射光（矢印ｈ）は、偏光回転フィルム６０により偏光方向が９０度回転され、０．３５のｐ偏光、及び、０．４７５のｓ偏光で構成される。この偏光回転フィルム６０により、反射部材５０ｂからの射出光（矢印ｉ）を、ｓ偏光を多く含む楕円偏光とすることができる。
【００３９】
なお、この反射部材５０ｂからの射出光（矢印ｉ）の次の反射部材５０ｃに対する入射角は、５５度である。従って、次段以降に設ける反射部材に対する光の入射角は、６５度、５５度、６５度、…と繰り返されることになる。
【００４０】
以上の説明より理解されるように、導光板１１に反射部材５０ａ〜５０ｆを備えることで、偏光板１６にはｐ偏光が少なく、ｓ偏光を多く含む光を入射させることができる。これにより、偏光板１６において吸収される光（ｐ偏光）の量を低減し、偏光板１６の光の透過率を向上することができる。偏光板１６における光の透過率が向上すれば、ランプ１３への供給電力量が少なくとも、液晶パネルを所望する明るさで照明することができる。例えば、当該液晶パネルモジュールをディスプレイに採用するノートパソコンでは、電池で駆動可能な時間を延ばすことができる。
【００４１】
次の図６は、上記偏光板１６の代わりに、ランプ軸方向に対して４５度だけ傾いた偏光軸を有する偏光板３０を用いる場合における導光板３１及び反射部材５０ｇ〜５０ｒの配置形態を示す図である。
【００４２】
反射部材５０ｇ〜５０ｒは、上記偏光板１６’の偏光軸に垂直な方向に並べられている。導光板３１のランプ光入射端面には、光が反射部材５０ｇ〜５０ｒの反射面に対して垂直に入射するように、ランプ１３からの光を４５度屈折して内部に導く鋸状の加工部が設けられている。当該構成においては、偏光板３０の偏光軸がフレームと４５度の角度をなすように配置されているため、通常のＴＮ液晶を用いた場合でも左右の視野角が対象になるといった利点を有する。
【００４３】
なお、反射部材５０ｇ〜５０ｒの形状及びその配置形態は、その屈折率、及び、導光板１１の屈折率等により適宜変更することができる。
【００４４】
また、次の図７及び図８は、導光板３１内に設ける反射部材５０ｇ〜５０ｒの上記とは別の配置形態を示す図である。図７は、反射部材５１ａ〜５１ｚ，５２ａ〜５２ｃを導光板１６内に隙間無く設けた場合の例を示す図である。このように反射部材５１ａ〜５１ｚ，５２ａ〜５２ｃを隙間無く設けることで、より均一に光を液晶パネルユニット側へ反射することが可能となる。
【００４５】
図８は、反射部材５２ｆ〜５２ｕを導光板１１内に散点的に設ける場合について示す図である。このようにして導光板内に配設する反射部材の数を減らすことで、コストの低減を行うことが可能となる。
【００４６】
（２）変形例
図９は、実施の形態１の液晶パネルディスプレイ装置４の備える液晶パネルモジュール５の変形例の構成断面図である。上記実施の形態１にかかる液晶パネルモジュール５と同じ構成物には、同じ参照番号を付して、ここでの重複した説明は省く。
【００４７】
本液晶パネルモジュールは、ランプ１３より導かれた光が反射部材５３ａ〜５３ｆのプリズム面に直接入射する空間部を備える導光板７０を使用することを特徴とする。導光板７０は、例えば、ランプ１３から光の導入される面を除く３つの側面、及び、液晶パネル２１に接する面をアクリル板で囲み、偏光回転フィルム６０と接する面には、ランプ光のプリズム面への入射を妨げないような補強部材を設けた構造を採用する。反射部材５３ａ〜５３ｆは、導光板７０内よりも大きな屈折率の材料を採用する。例えば、導光板７０内が屈折率ｎ＝１の空気の場合、屈折率ｎ＝１．４９のアクリルを反射部材５３ａ〜５３ｆに採用する。反射部材５３ａ〜５３ｆの形状及び配置形態については、上記反射部材５０ａ〜５０ｆの場合等と同様である。
【００４８】
上記構成を採用することで、反射部材５３ａ〜５３ｆに比較的屈折率の低い安価な部材を採用することが可能となる。例えば、アクリル樹脂を採用した場合、反射部材５３ａ〜５３ｆを樹脂形成することが可能となり、表１に示した他の部材に比べて製造コストを大幅に低減することができる。また、導光板７０に空間部を設けることで、液晶パネルモジュールの軽量化を図ることができる。
【００４９】
（３）実施の形態２
図１０は、実施の形態２にかかる液晶パネルモジュールの構成を示す図である。上記実施の形態１の液晶パネルモジュール５と同じ構成物には同一の参照番号を付し、ここでの重複した説明は省く。本液晶パネルモジュールは、上記実施の形態１の液晶パネルモジュール５と同様に、アクリル又は中空状態の導光板７１、及び、当該導光板７１内における光の屈折率で特定される所定の材料からなる反射部材５４ａ〜５４ｆを備え、更にリフレクタ１４の導光板１側の開口部と、当該導光板７１との間に、反射タイプの偏光分離膜８０を備えることを特徴とする。偏光分離膜８０は、反射部材５４の入射面に対して、ｓ偏光のみを透過し、その他の偏光方向の光を反射する。この偏光分離膜８０としては、例えば住友スリーエム株式会社製のＤＢＥＦ（住友スリーエム株式会社の登録商標）があげられる。
【００５０】
ランプ１３を出た光（矢印ｊ）の内、導光板７１の底面に垂直な方向のｓ偏光は偏光分離膜８０を透過（矢印ｌ）し、そのまま導光板７１に入射するのに対して、水平方向のｐ偏光は偏光分離膜８０により反射され（矢印ｋ）、ランプ１３及びリフレクタ１４により乱反射されて偏光方向が変化した後に再び偏光分離膜８０に向かう（矢印ｕ）。これにより、導光板７１に入射する光（矢印ｌ）は導光板７１の底面に垂直なｓ波のみで形成された直線偏光になる。導光板７１内に設ける反射部材５４ａ〜５４ｌは平面状の反射面を有するため、導光板７１内の光（矢印ｍ，ｎ，ｏ，ｐ，ｑ，ｒ，ｓ，ｔ等）の偏光方向が変化することはない。従って、偏光板１６には、上記ｓ波のみからなる直線偏光が入射される。これにより、偏光板１６における光の吸収をほぼ完全に無くすことができ、ランプ１３によるＴＦＴ液晶パネル２１の照射効率を大幅に向上することができる。
【００５１】
また、本液晶パネルモジュールでは、通常の偏光板に比べて高価な反射型の偏光分離膜を使用するが、図１２に示した従来例のように液晶パネルの底面全てに偏光分離膜２０５を貼り付けるのではなく、偏光分離膜８０をランプ１３の光が入射する側の導光板７１端面にのみ使用する。これにより、液晶パネルモジュールのコストアップを抑えつつ、ランプ１３によるＴＦＴ液晶パネル２１の照射効率を向上することができる。
【００５２】
なお、実施の形態２の液晶パネルモジュールでは、上記実施の形態１の液晶パネルモジュールの場合と異なり、導光板７１内に入射する光は、導光板７１の底面に垂直なｓ波のみで形成された直線偏光である。このため、等辺プリズムの反射部材５４ａ〜５４ｆのかわりに、図１１の（ａ）に示すような直角三角形の断面を有する三角柱のプリズムである反射部材５５、又は、（ｂ）に示すような断面を有する反射板５６を採用しても良い。
【図面の簡単な説明】
【００５３】
【図１】実施の形態１にかかる液晶ディスプレイ装置を採用したノート型のパーソナルコンピュータの斜視図である。
【図２】液晶ディスプレイ装置の分解斜視図である。
【図３】液晶パネルモジュールの構成断面図である。
【図４】反射部材の配置形態を示す斜視図である。
【図５】反射部材の反射面に対する光の入射角と反射率との関係を示すグラフである。
【図６】反射部材の配置形態の変形例を示す図である。
【図７】反射部材の配置形態の変形例を示す図である。
【図８】反射部材の配置形態の変形例を示す図である。
【図９】液晶パネルモジュールの変形例の構成断面図である。
【図１０】実施の形態２にかかる液晶パネルモジュールの構成断面図である。
【図１１】（ａ）及び（ｂ）は、反射部材の形状の変形例を示す図である。
【図１２】従来の液晶パネルモジュールの構成断面図である。
【符号の説明】
【００５４】
１  ノートパソコン、２  本体、３  キーボード、４  液晶ディスプレイ装置、５  液晶パネルモジュール、１０  バックライトユニット、１１，７０，７１  導光板、１２  反射シート、１３  ランプ、１４  リフレクタ、１６，１７  偏光板、２０  液晶パネルユニット、２１  ＴＦＴ液晶パネル、５０ａ〜５０ｌ，５１ａ〜５１ｚ，５２ａ〜５２ｃ，５２ｆ〜５２ｕ，５３ａ〜５３ｆ，５４ａ〜５４ｆ，５５，５６  反射部材、６０  偏光回転フィルム。
【図１】
2006259756.tif 000004
【図２】
2006259756.tif 000005
【図３】
2006259756.tif 000006
【図４】
2006259756.tif 000007
【図５】
2006259756.tif 000008
【図６】
2006259756.tif 000009
【図７】
2006259756.tif 000010
【図８】
2006259756.tif 000011
【図９】
2006259756.tif 000012
【図１０】
2006259756.tif 000013
【図１１】
2006259756.tif 000014
【図１２】
2006259756.tif 000015